(57)【特許請求の範囲】
【請求項１】
ＲＲＨ（Ｒｅｍｏｔｅ  Ｒａｄｉｏ  Ｈｅａｄ）とＢＢＵ（Ｂａｓｅ  Ｂａｎｄ  Ｕｎｉｔ）とが分離されるクラウド無線アクセスネットワーク（Ｃ−ＲＡＮ）環境で前記ＢＢＵがＲＲＨを介して下りリンク送信電力を設定する方法であって、前記方法は、
前記ＢＢＵが、前記ＲＲＨのシステム容量を管理するエンティティから取得した電力ヘッドルーム情報に基づいて、前記ＲＲＨが端末に下りリンク信号を送信するための要求電力を決定することと、
前記ＢＢＵが、前記ＲＲＨに接続している一つ以上の他のＢＢＵが前記ＲＲＨに対して割り当てられた送信電力を前記要求電力に基づいて変更するように要求する一つ以上の電力割り当て変更要求メッセージを前記一つ以上の他のＢＢＵに送信することと、
前記ＢＢＵが、前記一つ以上の他のＢＢＵから、前記一つ以上の電力割り当て変更要求メッセージに応答した一つ以上の電力割り当て変更応答メッセージを受信することであって、前記電力割り当て変更応答メッセージの各々は、それぞれ、前記一つ以上の他のＢＢＵの各々による前記ＲＲＨに対する調節された送信電力に関する情報を含む、ことと、
前記ＢＢＵが、前記一つ以上の受信された電力割り当て変更応答メッセージに基づいて、前記決定された要求電力を調節することと、
前記ＢＢＵが、下りリンク電力割り当てが変更されたことを知らせる信号及び前記調節された要求電力に関する情報を前記端末に送信することと、
前記ＢＢＵが、前記調節された要求電力に基づいて前記ＲＲＨを介して前記下りリンク信号を前記端末に送信することと
を含む、方法。
【請求項２】
前記ＢＢＵが、前記調節された要求電力に基づいて新しい送信電力を指定する一つ以上の電力割り当て変更命令メッセージを前記一つ以上の他のＢＢＵに送信することをさらに含む、請求項１に記載の方法。
【請求項３】
前記ＢＢＵが、前記エンティティにＲＲＨ情報要求メッセージを送信することと、
前記ＢＢＵが、前記エンティティから、前記電力ヘッドルーム情報を含むＲＲＨ情報応答メッセージを受信することと
をさらに含む、請求項１に記載の方法。
【請求項４】
前記ＢＢＵが、前記電力割り当て変更要求メッセージの送信に従って、予め定められた時間区間のタイマーを設定することと、
前記ＢＢＵが、前記タイマーが満了するまで前記電力割り当て変更応答メッセージが受信されない場合、前記電力割り当て変更要求メッセージを再送信することと
をさらに含む、請求項１に記載の方法。
【請求項５】
ＢＢＵ（Ｂａｓｅ  Ｂａｎｄ  Ｕｎｉｔ）であって、前記ＢＢＵは、ＲＲＨ（Ｒｅｍｏｔｅ  Ｒａｄｉｏ  Ｈｅａｄ）と前記ＢＢＵとが分離されるクラウド無線アクセスネットワーク（Ｃ−ＲＡＮ）環境で前記ＲＲＨを介して下りリンク送信電力を設定するものであり、前記ＢＢＵは、
送信部と、
受信部と、
前記送信部及び前記受信部と接続され、前記下りリンク送信電力を設定するプロセッサと
を備え、
前記プロセッサは、
前記ＲＲＨのシステム容量を管理するエンティティから取得した電力ヘッドルーム情報に基づいて、前記ＲＲＨが端末に下りリンク信号を送信するための要求電力を決定することと、
前記ＲＲＨに接続している一つ以上の他のＢＢＵが前記ＲＲＨに対して割り当てられた送信電力を前記要求電力に基づいて変更するように要求する一つ以上の電力割り当て変更要求メッセージを前記一つ以上の他のＢＢＵに送信するように前記送信部を制御することと、
前記一つ以上の他のＢＢＵから、前記一つ以上の電力割り当て変更要求メッセージに応答した一つ以上の電力割り当て変更応答メッセージを受信するように前記受信部を制御することであって、前記電力割り当て変更応答メッセージの各々は、それぞれ、前記一つ以上の他のＢＢＵの各々による前記ＲＲＨに対する調節された送信電力に関する情報を含む、ことと、
前記一つ以上の受信された電力割り当て変更応答メッセージに基づいて、前記決定された要求電力を調節することと、
下りリンク電力割り当てが変更されたことを知らせる信号及び前記調節された要求電力に関する情報を前記端末に送信するように前記送信部を制御することと、
前記調節された要求電力に基づいて前記ＲＲＨを介して前記下りリンク信号を前記端末に送信するように前記送信部を制御することと
を実行するように構成される、ＢＢＵ。
【発明の詳細な説明】
【技術分野】
【０００１】
本発明は、マクロセル及びスモールセルが共存する異機種環境でＲＲＨを介して下りリンク送信電力を設定する方法及びデバイスに関する。
【背景技術】
【０００２】
無線アクセスネットワーク（Ｒａｄｉｏ  Ａｃｃｅｓｓ  Ｎｅｔｗｏｒｋ：ＲＡＮ）構造は、ピコセル（ｐｉｃｏ  ｃｅｌｌ）、フェムトセル（ｆｅｍｔｏ  ｃｅｌｌ）などの様々な形態のスモールセル（ｓｍａｌｌ  ｃｅｌｌ）がマクロセル（ｍａｃｒｏ  ｃｅｌｌ）と連動する形態に変化している。このような無線アクセスネットワーク構造は、従来のマクロセルベースの同種（ｈｏｍｏｇｅｎｅｏｕｓ）ネットワークに加えて、低電力／近距離通信のためのスモールセルが混在する階層的（ｈｉｅｒａｒｃｈｉｃａｌ）セル構造又は異種（ｈｅｔｅｒｏｇｅｎｅｏｕｓ）セル構造を意味する。
【０００３】
複雑化する都心環境で従来のようにマクロセル基地局をさらに設置することは非効率的である。通信環境における陰影地域などによって、マクロセルの更なる設置に伴う費用増加及び複雑度増加の割にはシステム収率の向上が大きくないためである。そこで、新しい異種セル構造ではマクロセル内に複数のスモールセルが共存し、スモールセルにはセル指定（ｃｅｌｌ  ｃｏｏｒｄｉｎａｔｉｏｎ）方式によってリソースが割り当てられ、割り当てられたリソースでスモールセルが端末にサービスを提供する。このような異種セル構造は、最終のユーザに高いデータ伝送率を提供することによって体感品質（Ｑｕａｌｉｔｙ  ｏｆ  Ｅｘｐｅｒｉｅｎｃｅ：ＱｏＥ）を増進させることを目的とする。
【０００４】
３ＧＰＰ（３ｒｄ  Ｇｅｎｅｒａｔｉｏｎ  Ｐａｒｔｎｅｒｓｈｉｐ  Ｐｒｏｊｅｃｔ）標準化範ちゅうの一つである「Ｅ−ＵＴＲＡ及びＥ−ＵＴＲＡＮ  ＳＩのためのスモールセル強化    （ｍａｌｌ  Ｃｅｌｌ  Ｅｎｈａｎｃｅｍｅｎｔｓ  ｆｏｒ  Ｅ−ＵＴＲＡ  ａｎｄ  Ｅ−ＵＴＲＡＮ  ＳＩ（Ｓｔｕｄｙ  Ｉｔｅｍ））」では、低電力ノードを用いる室内／室外（ｉｎｄｏｏｒ／ｏｕｔｄｏｏｒ）シナリオを向上させるための議論がなされており、それらのシナリオ及び要求事項が３ＧＰＰ  ＴＲ  ３６．９３２に述べられている。また、「Ｅ−ＵＴＲＡ及びＥ−ＵＴＲＡＮ  ＳＩのためのスモールセル強化」では、ユーザが同一或いは別個のキャリア（ｃａｒｒｉｅｒ）を用いるマクロセルレイヤ（Ｍａｃｒｏ  Ｃｅｌｌ  Ｌａｙｅｒ）及びスモールセルレイヤ（Ｓｍａｌｌ  Ｃｅｌｌ  Ｌａｙｅｒ）に同時的接続性を有する二重接続性（Ｄｕａｌ  Ｃｏｎｎｅｃｔｉｖｉｔｙ）概念に対する長所を導く作業も議論されている。
【発明の概要】
【発明が解決しようとする課題】
【０００５】
本発明は、上記のような一般的な技術における問題点を解決するために案出されたものであり、その目的は、ＲＲＨとＢＢＵとが分離される異機種ネットワーク環境でＲＲＨの送信電力を調節して下りリンクデータを円滑に送信することにある。
【０００６】
本発明の他の目的は、ＲＲＨの送信電力を設定する際に、ＲＲＨに接続している他のＢＢＵに割り当てられた電力を共に考慮することによって、異機種ネットワーク環境でも効率的に下りリンク送信電力を設定することにある。
【０００７】
本発明の更に他の目的は、ＲＲＨの電力ヘッドルームを考慮して要求電力を設定することによって、下りリンク送信電力を動的に調節することにある。
【０００８】
本発明で遂げようとする技術的課題は、以上で言及している事項に制限されず、言及していない他の技術的課題は、以下に説明する本発明の実施例から、本発明の属する技術の分野における通常の知識を有する者にとって考慮されてもよい。
【課題を解決するための手段】
【０００９】
上述した技術的課題を解決するために、以下、ＢＢＵがＲＲＨの送信電力を調節する方法を提供する。具体的に、クラウドＲＡＮ環境におけるＢＢＵがＲＲＨの電力情報を考慮して端末への下りリンク送信電力を調節する方法を提供する。
本発明は、例えば、以下を提供する。
（項目１）
ＲＲＨ（Ｒｅｍｏｔｅ  Ｒａｄｉｏ  Ｈｅａｄ）とＢＢＵ（Ｂａｓｅ  Ｂａｎｄ  Ｕｎｉｔ）とが分離されるクラウドＲＡＮ（Ｃｌｏｕｄ  ＲＡＮ：Ｃ−ＲＡＮ）環境でＢＢＵがＲＲＨを介して下りリンク送信電力を設定する方法であって、
ＲＲＨのシステム容量（ｃａｐａｃｉｔｙ）を管理するエンティティから取得したＲＲＨ電力ヘッドルーム（ｐｏｗｅｒ  ｈｅａｄｒｏｏｍ）情報に基づいて、前記ＢＢＵが端末に下りリンク信号を送信するために前記ＲＲＨに要求する要求電力を決定するステップと、
前記ＲＲＨに接続している一つ以上の他のＢＢＵが前記ＲＲＨに割り当てた送信電力を前記要求電力に応じて変更するように要求する電力割り当て変更要求メッセージを、前記一つ以上の他のＢＢＵに送信するステップと、
を有する、電力設定方法。
（項目２）
前記一つ以上の他のＢＢＵから、前記電力割り当て変更要求メッセージに対する電力割り当て変更応答メッセージを受信するステップと、
前記電力割り当て変更応答メッセージに基づいて、前記決定された要求電力を調節するステップと、をさらに有する、項目１に記載の電力設定方法。
（項目３）
前記電力割り当て変更応答メッセージは、前記一つ以上の他のＢＢＵが電力を調節するか否かに関する情報、調節された電力値に関する情報、電力調節が不可能な場合に不可能な理由に関する情報のうち少なくとも一つを含む、項目２に記載の電力設定方法。
（項目４）
前記調節された要求電力によって前記一つ以上の他のＢＢＵの電力を新しく指定する電力割り当て変更命令メッセージを前記一つ以上の他のＢＢＵに送信するステップをさらに有する、項目２に記載の電力設定方法。
（項目５）
前記設定するステップは、前記電力割り当て変更命令メッセージに応答して電力調節が完了したことを示す電力割り当て変更命令応答メッセージが前記一つ以上の他のＢＢＵの全てから受信されると、前記下りリンク送信電力を設定することを含む、項目４に記載の電力設定方法。
（項目６）
前記エンティティにＲＲＨ情報要求メッセージを送信するステップと、
前記エンティティから、前記ＲＲＨ電力ヘッドルーム情報を含むＲＲＨ情報応答メッセージを受信するステップと、をさらに有する、項目１に記載の電力設定方法。
（項目７）
前記送信するステップは、前記電力割り当て変更要求メッセージを送信すると共に予め定められた時間区間のタイマーを設定することを含み、
前記タイマーが満了するまで前記電力割り当て変更応答メッセージが受信されない場合、前記電力設定方法は、前記電力割り当て変更要求メッセージを再送信するステップをさらに有する、項目１に記載の電力設定方法。
（項目８）
前記電力割り当て変更要求メッセージ及び前記電力割り当て変更応答メッセージは、前記一つ以上の他のＢＢＵとのＸ２インターフェース（Ｘ２  ｉｎｔｅｒｆａｃｅ）を介して送受信される、項目１に記載の電力設定方法。
（項目９）
ＲＲＨ（Ｒｅｍｏｔｅ  Ｒａｄｉｏ  Ｈｅａｄ）とＢＢＵ（Ｂａｓｅ  Ｂａｎｄ  Ｕｎｉｔ）とが分離されるクラウドＲＡＮ（Ｃｌｏｕｄ  ＲＡＮ；Ｃ−ＲＡＮ）環境でＲＲＨを介して下りリンク送信電力を設定するＢＢＵであって、
送信部と、
受信部と、
前記送信部及び前記受信部と接続して下りリンク送信電力を設定するように構成されたプロセッサと、
を備え、
前記プロセッサは、
ＲＲＨのシステム容量（ｃａｐａｃｉｔｙ）を管理するエンティティから取得したＲＲＨ電力ヘッドルーム（ｐｏｗｅｒ  ｈｅａｄｒｏｏｍ）情報に基づいて、前記ＢＢＵが端末に下りリンク信号を送信するために前記ＲＲＨに要求する要求電力を決定し、
前記ＲＲＨに接続している一つ以上の他のＢＢＵが前記ＲＲＨに割り当てた送信電力を前記要求電力に応じて変更するように要求する電力割り当て変更要求メッセージを、前記一つ以上の他のＢＢＵに送信するように前記送信部を制御する、ＢＢＵ。
（項目１０）
前記プロセッサは、
前記一つ以上の他のＢＢＵから、前記電力割り当て変更要求メッセージに対する電力割り当て変更応答メッセージを受信するように前記受信部を制御し、
前記電力割り当て変更応答メッセージに基づいて前記決定された要求電力を調節する、項目９に記載のＢＢＵ。
（項目１１）
前記電力割り当て変更応答メッセージは、前記一つ以上の他のＢＢＵが電力を調節するか否かに関する情報、調節された電力値に関する情報、電力調節が不可能な場合に不可能な理由に関する情報のうち少なくとも一つを含む、項目１０に記載のＢＢＵ。
（項目１２）
前記プロセッサは、
前記調節された要求電力によって前記一つ以上の他のＢＢＵの電力を新しく指定する電力割り当て変更命令メッセージを前記一つ以上の他のＢＢＵに送信するように前記送信部を制御する、項目１０に記載のＢＢＵ。
（項目１３）
前記プロセッサは、
前記電力割り当て変更命令メッセージに応答して電力調節が完了したことを示す電力割り当て変更命令応答メッセージが前記一つ以上の他のＢＢＵの全てから受信されると、前記下りリンク送信電力を設定する、項目１２に記載のＢＢＵ。
（項目１４）
前記プロセッサは、
前記エンティティにＲＲＨ情報要求メッセージを送信し、前記エンティティから、前記ＲＲＨ電力ヘッドルーム情報を含むＲＲＨ情報応答メッセージを受信するように前記送受信モジュールを制御する、項目９に記載のＢＢＵ。
（項目１５）
前記プロセッサは、
前記電力割り当て変更要求メッセージを送信すると共に予め定められた時間区間のタイマーを設定し、前記タイマーが満了するまで前記電力割り当て変更応答メッセージが受信されない場合、前記電力割り当て変更要求メッセージを再送信するように前記送受信モジュールを制御する、項目９に記載のＢＢＵ。
（項目１６）
前記電力割り当て変更要求メッセージ及び前記電力割り当て変更応答メッセージは、前記一つ以上の他のＢＢＵとのＸ２インターフェース（Ｘ２  ｉｎｔｅｒｆａｃｅ）を介して送受信される、項目９に記載のＢＢＵ。
【発明の効果】
【００１０】
本発明の実施例によれば次の効果が期待できる。
【００１１】
第一に、ＲＲＨとＢＢＵとが分離される異機種ネットワーク環境でも下りリンク送信電力を効率的に設定するによって、下りリンク通信を円滑にさせることができる。
【００１２】
第二に、ＲＲＨの下りリンク送信電力を設定する際に、ＲＲＨに接続された他のＢＢＵとの関係も共に考慮することによって、異機種ネットワーク環境に配置されるＢＢＵ間の衝突無しで円滑な通信が行われるようにすることができる。
【００１３】
第三に、要求電力を設定する上でＲＲＨの電力ヘッドルームを考慮することによって、ＲＲＨの状態と他のＢＢＵ間の関係によって下りリンク電力設定が動的に行われるようにすることができる。
【００１４】
本発明の実施例から得られる効果は、以上で言及した効果に制限されず、言及していない他の効果は、以下の本発明の実施例に関する記載から、本発明の属する技術の分野における通常の知識を有する者にとって明確に導出され理解されるであろう。すなわち、本発明を実施することに伴う意図していない効果も、本発明の実施例から、当該技術の分野における通常の知識を有する者によって導出され得る。
【図面の簡単な説明】
【００１５】
以下に添付する図面は、本発明に関する理解を助けるためのものであり、詳細な説明と共に本発明に関する実施例を提供する。ただし、本発明の技術的特徴が特定の図面に限定されることはなく、各図に開示される特徴を組み合わせて新しい実施例を構成してもよい。各図における参照番号（ｒｅｆｅｒｅｎｃｅ  ｎｕｍｅｒａｌｓ）は、構造的構成要素（ｓｔｒｕｃｔｕｒａｌ  ｅｌｅｍｅｎｔｓ）を意味する。
【図１】図１は、本発明に係る異機種ネットワーク環境を示す図である。
【図２】図２は、本発明に係るクラウドＲＡＮ環境を示す図である。
【図３】図３は、本発明と関連して一つ以上のＢＢＵがＲＲＨを介してデータを送信する手順を説明する図である。
【図４】図４は、本発明と関連して一つ以上のＢＢＵがＲＲＨを介してデータを送信する手順を説明する図である。
【図５】図５は、本発明の一実施例に係る電力割り当て方法を説明する図である。
【図６】図６は、本発明の他の実施例に係る電力割り当て方法を説明する図である。
【図７】図７は、本発明の他の実施例に係る電力割り当て方法を説明する図である。
【図８】図８は、本発明の他の実施例に係る電力割り当て方法を説明する図である。
【図９】図９は、本発明の一実施例に係る端末、ＲＲＨ及びＢＢＵの構成を示すブロック図である。
【発明を実施するための形態】
【００１６】
前記技術的課題を解決するための電力設定方法は、ＲＲＨのシステム容量（ｃａｐａｃｉｔｙ）を管理するエンティティから取得したＲＲＨ電力ヘッドルーム（ｐｏｗｅｒ  ｈｅａｄｒｏｏｍ）情報に基づいて、ＢＢＵが端末に下りリンク信号を送信するためにＲＲＨに要求する要求電力を決定するステップ、ＲＲＨに接続している一つ以上の他のＢＢＵがＲＲＨに割り当てた送信電力を要求電力に応じて変更するように要求する電力割り当て変更要求メッセージを一つ以上の他のＢＢＵに送信するステップとを有する。
【００１７】
電力設定方法は、一つ以上の他のＢＢＵから、電力割り当て変更要求メッセージに対する電力割り当て変更応答メッセージを受信するステップと、電力割り当て変更応答メッセージに基づいて、決定された要求電力を調節するステップとをさらに有することができる。
【００１８】
電力割り当て変更応答メッセージは、一つ以上の他のＢＢＵが電力を調節するか否かに関する情報、調節された電力値に関する情報、及び電力調節が不可能な場合に不可能な理由に関する情報のうち少なくとも一つを含むことができる。
【００１９】
電力設定方法は、調節された要求電力によって一つ以上の他のＢＢＵの電力を新しく指定する電力割り当て変更命令メッセージを一つ以上の他のＢＢＵに送信することができる。
【００２０】
設定するステップは、電力割り当て変更命令メッセージに応答して電力調節が完了したことを示す電力割り当て変更命令応答メッセージが一つ以上の他のＢＢＵの全てから受信されると、下りリンク送信電力を設定することができる。
【００２１】
電力設定方法は、エンティティにＲＲＨ情報要求メッセージを送信するステップと、エンティティから、ＲＲＨ電力ヘッドルーム情報を含むＲＲＨ情報応答メッセージを受信するステップとをさらに有することができる。
【００２２】
送信するステップは、電力割り当て変更要求メッセージを送信すると共に予め定められた時間区間のタイマーを設定することを含み、タイマーが満了するまで電力割り当て変更応答メッセージが受信されない場合、電力設定方法は、電力割り当て変更要求メッセージを再送信するステップをさらに有することができる。
【００２３】
電力割り当て変更要求メッセージ及び電力割り当て変更応答メッセージは、一つ以上の他のＢＢＵとのＸ２インターフェース（Ｘ２  ｉｎｔｅｒｆａｃｅ）を介して送受信されてもよい。
【００２４】
上記の技術的課題を解決するためのＢＢＵは、送信部と、受信部と、送信部及び受信部に接続して下りリンク送信電力を設定するように構成されるプロセッサとを備え、プロセッサは、ＲＲＨのシステム容量（ｃａｐａｃｉｔｙ）を管理するエンティティから取得したＲＲＨ電力ヘッドルーム（ｐｏｗｅｒ  ｈｅａｄｒｏｏｍ）情報に基づいて、ＢＢＵが端末に下りリンク信号を送信するためにＲＲＨに要求する要求電力を決定し、ＲＲＨに接続している一つ以上の他のＢＢＵがＲＲＨに割り当てた送信電力を要求電力に応じて変更するように要求する電力割り当て変更要求メッセージを一つ以上の他のＢＢＵに送信するように送信部を制御する。
【実施例】
【００２５】
本発明で使われる用語は、本発明における機能を考慮するとともに、可能な限り、現在広く使われている一般的な用語を選択したが、これは、当該分野に従事する技術者の意図、判例、又は新しい技術の出現などによって変更してもよい。また、特定の場合は、出願人が任意に選定した用語もあり、その詳細な意味は該当する発明の説明部分で説明するものとする。したがって、本発明で使われる用語は、単純な用語の名称ではなく、その用語が持つ意味と本発明の全般にわたる内容に基づいて定義しなければならない。
【００２６】
以下の実施例は、本発明の構成要素及び特徴を所定の形態で結合したものである。各構成要素又は特徴は、別の明示的言及がない限り、選択的なものとして考慮することができる。各構成要素又は特徴は、他の構成要素又は特徴と結合しない形態で実施してもよい。また、一部の構成要素及び／又は特徴を結合して本発明の実施例を構成してもよい。本発明の実施例で説明される動作の順序は変更されてもよい。ある実施例の一部の構成や特徴は、別の実施例に含まれてもよく、又は別の実施例の対応する構成又は特徴に置き換えられてもよい。
【００２７】
図面に関する説明で、本発明の要旨を曖昧にさせる手続き又は段階などは説明を省き、当業者のレベルで理解可能な手続き又は段階も説明しないものとする。
【００２８】
明細書全体を通じて、ある部分がある構成要素を“含む（又は、備える或いは有する）”としたとき、これは、特別な記載がない限り、他の構成要素を除外する意味ではなく、他の構成要素をさらに含むということを意味する。また、明細書全体を通じて、ある構成が他の構成に“接続”されるとしたとき、これは、物理的接続の他、電気的接続をも含むことができ、さらには論理的な接続関係にあることを意味してもよい。また、明細書に記載された“…部”，“…器（機）”，“モジュール”などの用語は、少なくとも一つの機能や動作を処理する単位を意味し、これは、ハードウェア、ソフトウェア、又はハードウェア及びソフトウェアの結合によって実現することができる。また、“一つ（ａ又はａｎ）”，“１つ（ｏｎｅ）”、“前記（ｔｈｅ）”及び類似する関連語は、本発明を記述する文脈において（特に、添付する請求項の文脈において）、本明細書で別に指示されたり文脈によって明らかに反駁されない限り、単数及び複数の両方を含む意味で使われる。
【００２９】
本明細書では本発明の実施例を基地局と移動局との間のデータ送受信関係を中心に説明している。ここで、基地局は、移動局と直接的に通信を行うネットワークの終端ノード（ｔｅｒｍｉｎａｌ  ｎｏｄｅ）としての意味を有する。本文書で基地局によって行われると説明された特定動作は、場合によっては、基地局の上位ノード（ｕｐｐｅｒ  ｎｏｄｅ）によって行われてもよい。
【００３０】
すなわち、基地局を含む複数のネットワークノード（ｎｅｔｗｏｒｋ  ｎｏｄｅｓ）で構成されるネットワークにおいて移動局との通信のために行われる様々な動作は、基地局、又は基地局以外のネットワークノードで行うことができる。ここで、「基地局」は、固定局（ｆｉｘｅｄ  ｓｔａｔｉｏｎ）、ＮｏｄｅＢ、ｅＮｏｄｅＢ（ｅＮＢ）、発展した基地局（Ａｄｖａｎｃｅｄ  Ｂａｓｅ  Ｓｔａｔｉｏｎ：ＡＢＳ）又はアクセスポイント（ａｃｃｅｓｓ  ｐｏｉｎｔ）などの用語に代替してもよい。
【００３１】
また、「移動局（Ｍｏｂｉｌｅ  Ｓｔａｔｉｏｎ：ＭＳ）」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、発展した移動端末（Ａｄｖａｎｃｅｄ  Ｍｏｂｉｌｅ  Ｓｔａｔｉｏｎ：ＡＭＳ）又は端末（Ｔｅｒｍｉｎａｌ）などの用語に代替してもよい。特に、本発明では、移動局がＭ２Ｍ機器と同じ意味で使われてもよい。
【００３２】
また、送信端は、データサービス又は音声サービスを提供する固定及び／又は移動ノードを意味し、受信端は、データサービス又は音声サービスを受信する固定及び／又は移動ノードを意味する。したがって、上りリンクでは移動局が送信端となり、基地局が受信端となり得る。同様に、下りリンクでは移動局が受信端となり、基地局が送信端となり得る。
【００３３】
本発明の実施例は、無線アクセスシステムであるＩＥＥＥ  ８０２．ｘｘシステム、３ＧＰＰシステム、３ＧＰＰ  ＬＴＥシステム及び３ＧＰＰ２システムの少なくとも一つに開示されている標準文書によって裏付けることができる。すなわち、本発明の実施例において、説明を省略した自明な段階又は部分は、上記の文書を参照して説明することができる。
【００３４】
また、本文書で開示している用語はいずれも、上記の標準文書に基づいて説明することができる。特に、本発明の実施例は、ＩＥＥＥ  ８０２．１６システムの標準文書であるＰ８０２．１６ｅ−２００４、Ｐ８０２．１６ｅ−２００５、Ｐ８０２．１６．１、Ｐ８０２．１６ｐ及びＰ８０２．１６．１ｂの一つ以上によって裏付けることができる。
【００３５】
以下、本発明に係る好適な実施の形態を、添付の図面を参照して詳しく説明する。添付の図面と共に以下に開示する詳細な説明は、本発明の例示的な実施の形態を説明するためのものであり、本発明が実施され得る唯一の実施の形態を示すためのものではない。
【００３６】
また、本発明の実施例で使われる特定の用語は、本発明の理解を助けるために提供されたものであり、このような特定用語の使用は、本発明の技術的思想から逸脱しない範囲で他の形態に変更してもよい。
【００３７】
１．  異種ネットワーク環境
図１は、本発明に係る異種ネットワーク環境を示す図である。
【００３８】
次世代移動通信では、マルチメディアなどのデータサービスをより安定的に保障するために、マクロセルベースの同種ネットワークに低電力／近距離通信のためのスモールセル（例えば、ピコセル又はフェムトセル）が混在する階層的セル構造或いは異種セル構造に関する関心が高まっている。これは、マクロセルの基地局の追加設置が、それによるシステム性能の向上に比べて費用及び複雑度の増加の側面において効率的でないためである。
【００３９】
次世代通信網で考慮される異種ネットワークの構造は、図１に示す形態とすることができる。一つのマクロセル内に複数のスモールセルが共存し、各スモールセル基地局は、セル指定（ｃｅｌｌ  ｃｏｏｒｄｉｎａｔｉｏｎ）方式によって割り当てられたリソースで端末にサービスを提供する。上述した異種ネットワーク環境を実現するための核心技術の一つとして、ＲＲＨ（Ｒｅｍｏｔｅ  Ｒａｄｉｏ  Ｈｅａｄ）とＢＢＵ（ＢａｓｅＢａｎｄ  Ｕｎｉｔ）との分離具現を挙げることができる。
【００４０】
２．  ＲＲＨとＢＢＵとが分離されるクラウドＲＡＮ環境
図２は、本発明の一実施例に係るクラウド（Ｃｌｏｕｄ）無線アクセスネットワーク（Ｒａｄｉｏ  Ａｃｅｓｓ  Ｎｅｔｗｏｒｋ）（Ｃ−ＲＡＮ）環境を示す図である。クラウドＲＡＮ環境は、複数のＲＲＨ（２００ａ，２００ｂ）と、ソフトウェアベースの仮想ＢＢＵプール（Ｖｉｒｔｕａｌ  ＢＢＵ  Ｐｏｏｌ）３５０ａ，３５０ｂ又は仮想基地局（Ｖｉｒｔｕａｌ  Ｂａｓｅ  Ｓｔａｔｉｏｎ：ＶＢＳ）と、これを制御する接続制御／リソース管理／認証サーバーなどで構成することができる。クラウドＲＡＮ環境ではコアネットワークの要素が開放型ＩＰネットワークに変化することから、クラウドＲＡＮの様々な要素はコアネットワークの要素と有機的な関係で直接連動する。
【００４１】
一方、クラウドＲＡＮ環境の一例として、上述したようにＲＲＨ（２００ａ，２００ｂ）及びＢＢＵ（３００ａ，３００ｂ）を分離して具現することができ、ＲＲＨ及びＢＢＵの分離によって、下記のような特徴を有するクラウドＲＡＮ環境を作ることができる。
【００４２】
第一に、仮想ＢＢＵプール３５０ａ，３５０ｂが存在して複数のＢＢＵ（３００ａ，３００ｂ）を含み、仮想ＢＢＵプール３５０ａ，３５０ｂはアクセスゲートウェイ（Ａｃｃｅｓｓ  ＧａｔｅＷａｙ：Ａ−ＧＷ）２５０ａ，２５０ｂを介して、多重無線アクセス方式（Ｍｕｌｔｉ  Ｒａｄｉｏ  Ａｃｃｅｓｓ  Ｔｅｃｈｎｏｌｏｇｙ：Ｍｕｌｔｉ−ＲＡＴ）をサポートするＳＡＳ（Ｓｈａｒｅｄ  Ａｎｔｅｎｎａ  Ｓｙｓｔｅｍ）ＲＲＨ（２００ａ，２００ｂ）と関連付けられる構造を有する。仮想ＢＢＵプール３５０ａ，３５０ｂは、様々な無線アクセス技術をサポートする複数のＢＢＵ（３００ａ，３００ｂ）を含み、一つのＲＲＨ（２００ａ，２００ｂ）は一つ以上のＢＢＵ（３００ａ，３００ｂ）と関連付けられ、逆に、一つのＢＢＵ（３００ａ，３００ｂ）は一つ以上のＲＲＨ（２００ａ，２００ｂ）と関連付けられ得る。仮想ＢＢＵプール３５０ａ，３５０ｂ内のＢＢＵ（３００ａ，３００ｂ）は、ＲＲＨ（２００ａ，２００ｂ）と理想的／非理想的バックホール（Ｉｄｅａｌ／ｎｏｎ−Ｉｄｅａｌ  Ｂａｃｋｈａｕｌ）で接続され、一つの仮想ＢＢＵプール３５０ａは他の仮想ＢＢＵプール３５０ｂとＸ２インターフェース又はＸ２に類似したインターフェースを介して接続され得る。
【００４３】
第二に、仮想ＢＢＵプール３５０ａ，３５０ｂ内のＲＲＨ（２００ａ，２００ｂ）はいずれも同じ仮想セルＩＤ（Ｖｉｒｔｕａｌ  Ｃｅｌｌ  ＩＤ）を有し、仮想ＢＢＵプール３５０ａ，３５０ｂ内の全ＢＢＵ（３００ａ，３００ｂ）と全ＲＲＨ（２００ａ，２００ｂ）とが理想的バックホールで接続され、ＲＲＨ（２００ａ，２００ｂ）は自身と関連付けられているＢＢＵ（３００ａ，３００ｂ）から制御を受ける。
【００４４】
第三に、下りリンク同期化のために用いられる同期信号（Ｓｙｎｃ  Ｓｉｇｎａｌ）はそれぞれのＲＲＨ（２００ａ，２００ｂ）によって送信され、同期信号には、ＲＲＨ（２００ａ，２００ｂ）の属した仮想ＢＢＵプール３５０ａ，３５０ｂを代表し得る仮想セルＩＤの他、各ＲＲＨ（２００ａ，２００ｂ）を区別し得るＲＲＨ  ＩＤが含まれてもよい。
【００４５】
第四に、各ＲＲＨ（２００ａ，２００ｂ）は、単純なアンテナを仮定し、Ｌ１／Ｌ２／Ｌ３の階層処理過程（Ｌａｙｅｒ  Ｐｒｏｃｅｓｓｉｎｇ）は、仮想ＢＢＵプール３５０ａ，３５０ｂ内に存在するＢＢＵ（３００ａ，３００ｂ）でなされる。また、ＲＲＨ（２００ａ，２００ｂ）はＳＡＳの属性を有し、これは、ＲＲＨ（２００ａ，２００ｂ）が自身の所属を、仮想ＢＢＵプール３５０ａ，３５０ｂ内の一つのＢＢＵから他のＢＢＵに変更可能であることを意味する。すなわち、ＲＲＨ（２００ａ，２００ｂ）の時変的な所属は、ＢＢＵ（３００ａ，３００ｂ）の状況（例えば、ＢＢＵの負荷（Ｌｏａｄ）、使用可能なリソース（Ｒｅｓｏｕｒｃｅ）状況など）によって一つのＢＢＵから他のＢＢＵに変更されてもよい。
【００４６】
従来、物理的なセルが存在し、ユーザがセルに接続してサービス提供を受ける形態であった。しかし、上述したように、ＲＲＨとＢＢＵとが分離して具現される場合、ネットワークがユーザ単位で最適の通信環境を提供できる領域（ｚｏｎｅ）を構成し、領域ベースのサービスを提供することができる。
【００４７】
３．  ＲＲＨの下りリンク電力割り当て方法
図３は、本発明と関連して一つ以上のＢＢＵがＲＲＨを介してデータを送信する手順を説明する図である。
【００４８】
ＬＴＥ  Ｒｅｌ−９／１０／１１において基地局（ｅＮＢ）は端末に送信電力を割り当てるために各キャリアの参照信号電力（ｒｅｆｅｒｅｎｃｅ  ｓｉｇｎａｌ  ｐｏｗｅｒ）及びＰＢ値をＳＩＢ２（Ｓｙｓｔｅｍ  Ｉｎｆｏｒｍａｔｉｏｎ  Ｂｌｏｃｋ２）のＰＤＳＣＨ−Ｃｏｎｆｉｇｕｒａｔｉｏｎフィールドで送信することができる。またＰＡ値は、ＲＲＣ信号で送信される。既存のｅＮＢではアンテナコネクター（ａｎｔｅｎｎａ  ｃｏｎｎｅｃｔｏｒ）の最大送信電力の総和がｅＮＢの最大送信電力を超えないように制限される。また、ｅＮＢでキャリア併合（Ｃａｒｒｉｅｒ  Ａｇｇｒｅｇａｔｉｏｎ；ＣＡ）を行う場合、一つのｅＮＢで併合されるキャリアの電力を割り当てる。これによって、それぞれのキャリアにおける送信電力の和がｅＮＢの最大送信電力を超えないように調節することができる。このような調節は、前述した参照信号電力、ＰＡ、ＰＢによって設定される。
【００４９】
一方、ＲＲＨとＢＢＵとが分離されるクラウドＲＡＮ環境でＢＢＵとＲＲＨとのマッピング関係は動的に変更される。このとき、マッピング関係を端末特定的（ＵＥ−ｓｐｅｃｉｆｉｃ）に割り当てる場合、特定端末に適したカバレッジ（ｃｏｖｅｒａｇｅ）を設定することができる。このようなクラウドＲＡＮ環境でＢＢＵとＲＲＨとのマッピング関係の形態には様々なものがある。
【００５０】
ＲＲＨの立場で説明すると、特定のＲＲＨを介して一つのＢＢＵがデータを送信することができる。この場合、既存ＬＴＥにおける下りリンク電力割り当て（ＤＬ  ｐｏｗｅｒ  ａｌｌｏｃａｔｉｏｎ）方法を用いてＲＲＨの最大送信電力を超えないように調節することができる。
【００５１】
又は、特定のＲＲＨを介して複数のＢＢＵがデータを送信してもよい。このとき、一つのＲＲＨを介して複数ののＢＢＵがデータを送信する方法には様々なものがある。具体的に、複数のＢＢＵは、別個の又は同一のキャリアを用いてデータを送信することができる。
【００５２】
例えば、図３（ａ）に示すように、ＲＲＨ  ＃０を介してＢＢＵ  ＃０及びＢＢＵ  ＃１がデータを送信する場合、両ＢＢＵは別個のキャリアを使用することができる。すなわち、ＢＢＵ  ＃０はＦ１キャリアを用いてデータを送信し、ＢＢＵ  ＃１はＦ２キャリアを用いてデータを送信することができる。この場合には、両キャリア（Ｆ１，Ｆ２）を介して送信される送信電力の和が、ＲＲＨ  ＃０が送信するＤＬ電力の和となる。したがって、両キャリアの送信電力の最大値をそれぞれ調節することによって、ＲＲＨのＤＬ電力の和がＲＲＨの送信可能な最大送信電力を超えないように調節することができる。
【００５３】
他の例として、図３（ｂ）に示すように、ＢＢＵ  ＃０及びＢＢＵ  ＃１がＦ１という同一キャリアを使用し、ＲＲＨ  ＃０を介してデータを送信することができる。ＢＢＵ  ＃０とＢＢＵ  ＃１とがスケジューリングに関する情報を交換する場合、両ＢＢＵは別個の端末（端末＃０、端末＃１）のためにＦ１という同一キャリアをＲＢ単位（或いはＲＢグループ）に分けて使用することができる。例えば、ＢＢＵ  ＃０は、端末  ＃０のためにＦ１キャリアにおいてＲＢ  ＃０、ＲＢ  ＃１をスケジュールすることができ、ＢＢＵ  ＃１は、端末＃１のためにＦ１キャリアにおいてＲＢ  ＃２、ＲＢ  ＃３をスケジュールすることができる。
【００５４】
図４は、本発明と関連して一つ以上のＢＢＵがＲＲＨを介してデータを送信する手順を説明する図である。
【００５５】
図４では、上記の図３（ｂ）で説明した実施例が活用される別の環境を説明する。例えば、図４（ａ）に示す実施例で、ＢＢＵ  ＃０が端末  ＃０に関する状況（ｃｏｎｔｅｘｔ）情報を管理し、ＢＢＵ  ＃１が端末  ＃１に関する状況情報を管理することができる。このとき、ＢＢＵとＲＲＨとのマッピング関係が動的に変更されないか又はマッピング関係が端末特定的に設定されない可能性がある。この場合に、ＢＢＵ  ＃０がＲＲＨ  ＃０を介して端末＃０にデータ送信をするには、図４（ｂ）に示すように、ＢＢＵ  ＃１に端末＃０の情報を渡す過程を行わなければならない。このような過程は従来のハンドオーバー過程と類似に行われ、システムの性能低下を誘発しうる。
【００５６】
しかしながら、上述したようにＲＲＨとＢＢＵとが分離されるクラウドＲＡＮ環境では、ＢＢＵ  ＃０は、上述した方法によってＢＢＵスイッチング（又は、ハンドオーバー）を行うことなくＲＲＨ  ＃０のＦ１キャリアを使用することができる。すなわち、ＢＢＵとＲＲＨとのマッピング関係の動的変更が可能であり、マッピング関係が端末特定的に設定されるため、ＢＢＵ  ＃０はＢＢＵスイッチング又はハンドオーバー手順を行うことなく端末＃０を支援することができる。
【００５７】
上述したクラウドＲＡＮ環境では、既存のＬＴＥ  Ｒｅｌ−９／１０／１１と違い、ＲＲＨ別に最大電力が制限される。また、ＢＢＵでデータを生成し、それを送信するためのスケジューリングを決定しているため、ＢＢＵがデータの送信電力を決定することができる。また、決定した送信電力をＢＢＵとＲＲＨ間のインターフェース（例えば、ＣＰＲＩ（Ｃｏｍｍｏｎ  Ｐｕｂｌｉｃ  Ｒａｄｉｏ  Ｉｎｔｅｒｆａｃｅ））を介して送信し、ＲＲＨのデータ送信電力を調節することができる。
【００５８】
このように、最大電力が制限される対象（ＲＲＨ）とデータの電力を決定する対象（ＢＢＵ）とが異なるとともに、ＲＲＨとＢＢＵとのマッピング関係の動的変更が可能であることから、新しい観点で考慮ずき問題が存在する。例えば、任意のＢＢＵが特定のＲＲＨを介して送信されるデータの電力を決定する際、当該ＲＲＨを介してデータを送信する他のＢＢＵのために決定された電力の値がわからない。このため、他のＢＢＵに対して決定されたＲＲＨの送信電力の値がＲＲＨにおける最大送信電力の値を超える場合が発生しうる。このような問題を解決するためにはＲＲＨ単位の最大送信電力を考慮した電力割り当て方法が必要である。
【００５９】
任意のＢＢＵが特定のＲＲＨにさらに接続される場合又は特定のＲＲＨから接続が解除（ｒｅｌｅａｓｅ）される場合、キャリア単位の電力割り当て調節がまず要求される。このとき、キャリアは、単一ＲＡＴ（ｓｉｎｇｌｅ−Ｒａｄｉｏ  Ａｃｃｅｓｓ  Ｔｅｃｈｎｏｌｏｇｙ）を支援してもよく、複数ＲＡＴ（ｍｕｌｔｉ−ＲＡＴ）を支援してもよい。
【００６０】
まず、特定のＲＲＨを介したキャリア単位の電力割り当て調節を経てキャリア当たりの最大送信電力が決定された場合、同一キャリアを使用するＢＢＵ間の話し合い過程が要求される。すなわち、ＢＢＵの送信可能な最大送信電力のようなパラメータ値が決定及び変更されなければならない。図３（ｂ）に示す例を挙げると、特定のＲＲＨ  ＃０を介してＦ１キャリアにてデータを送信するＢＢＵ  ＃０とＢＢＵ  ＃１が存在する。このため、両ＢＢＵのデータの送信電力の和がＲＲＨの送信可能な最大送信電力を超えないようにＢＢＵ  ＃０とＢＢＵ  ＃１のデータ送信電力を調節する必要がある。
【００６１】
ＲＲＨとＢＢＵとが分離されるクラウドＲＡＮ環境で特定のＲＲＨに接続されるＢＢＵがＲＲＨのＤＬ電力割り当てを設定（ｃｏｏｒｄｉｎａｔｅ）する様々な方法がある。例えば、ＢＢＵがＲＲＨに接続されながら要請する電力が、当該ＲＲＨを介してデータを送信する他のＢＢＵの送信電力に影響を与えたり与えないことがある。影響を与える場合、ＢＢＵ、Ａ−ＧＷ、別のエンティティ（ｅｎｔｉｔｙ）などの様々な主体が、一つのＲＲＨに接続されたＢＢＵの送信電力を調節することができ、各場合別にＤＬ電力割り当て手順を具現することができる。
【００６２】
以下では、ＲＲＨとＢＢＵとが分離されるクラウドＲＡＮ環境でＲＲＨのＤＬ電力割り当て方法を、様々な実施例を挙げて説明する。
【００６３】
図５は、本発明の一実施例に係る電力割り当て方法を説明する図である。一方、以下に説明するキャリアのＲＡＴに対する制約はない。すなわち、キャリアは同一のＲＡＴを支援してもよく、別個のＲＡＴを支援してもよい。
【００６４】
まず、ＢＢＵは特定のＲＲＨに接続するに先立ってＲＲＨの情報を取得する。ＢＢＵは、ＲＲＨの情報を取得するためのＲＲＨ情報要求メッセージ（ＲＲＨ  ｉｎｆｏｒｍａｔｉｏｎ  ｒｅｑｕｅｓｔ  ｍｅｓｓａｇｅ）を生成し、ＲＲＨの情報を管理するサーバー／エンティティ／Ａ−ＧＷなどに送信することができる。ＲＲＨ情報要求メッセージは、“ＲＲＨの容量（ｃａｐａｃｉｔｙ）に関する情報（例えば、ＲＲＨの最大送信電力、ＲＲＨ支援ＲＡＴ、ＲＲＨ支援周波数、ＲＲＨの電力ヘッドルーム（ｐｏｗｅｒ  ｈｅａｄｒｏｏｍ：ＲＲＨの最大送信電力と現在送信電力との差）、アンテナチェーン（ａｎｔｅｎｎａ  ｃｈａｉｎ）数など）に対するフィールド、ＲＲＨのマッピング情報（ＲＲＨ  ＩＤ、ＲＲＨにマップされたＢＢＵのＢＢＵ  ＩＤ、ＢＢＵの周波数情報、ＢＢＵの送信電力など）に対するフィールド、ＢＢＵ  ＩＤに対するフィールド、ＲＲＨ  ＩＤに対するフィールド、サーバー／エンティティ／Ａ−ＧＷ  ＩＰに対するフィールド”のうち少なくとも一つを含めて構成することができる。
【００６５】
ＲＲＨ情報要求メッセージを受信したサーバー／エンティティ／Ａ−ＧＷは、ＢＢＵにＲＲＨ情報応答メッセージ（ＲＲＨ  ｉｎｆｏｒｍａｔｉｏｎ  ｒｅｓｐｏｎｓｅ  ｍｅｓｓａｇｅ）を送信し、ＢＢＵの要求した情報を提供する。ＢＢＵは、ＲＲＨ情報応答メッセージから、ＲＲＨの電力ヘッドルームに関する情報を取得することができる（Ｓ５１０）。
【００６６】
ＲＲＨ情報を取得したＢＢＵは、ＲＲＨの電力ヘッドルーム情報を考慮して、自分がＤＬ信号を送信するためにＲＲＨに割り当てを要求する電力である要求電力を決定する（Ｓ５２０）。要求電力は、一定の範囲の値又は特定の値に決定することができる。また、要求電力は、ＲＲＨの電力ヘッドルーム内で決定されてもよいが、ＲＲＨの電力ヘッドルームの範囲を超える値に決定されてもよい。
【００６７】
ＢＢＵは、ＲＲＨに接続する過程で要求電力を割り当ててもらいたいと要請するＤＬ電力割り当て変更要求メッセージ（ＤＬ  ｐｏｗｅｒ  ａｌｌｏｃａｔｉｏｎ  ｃｈａｎｇｅ  ｒｅｑｕｅｓｔ  ｍｅｓｓａｇｅ）を、ＲＲＨ、ＲＲＨに接続された他のＢＢＵ、又はサーバー／エンティティ／Ａ−ＧＷに送信する（Ｓ５３０）。ＤＬ電力割り当て変更要求メッセージが送信される対象は、以下の図６乃至図８で実施例を挙げてそれぞれ具体的に説明する。
【００６８】
その後、ＢＢＵは、ＤＬ電力割り当て変更要求メッセージを受信した対象から、その応答としてＤＬ電力割り当て変更応答メッセージ（ＤＬ  ｐｏｗｅｒ  ａｌｌｏｃａｔｉｏｎ  ｃｈａｎｇｅ  ｒｅｓｐｏｎｓｅ  ｍｅｓｓａｇｅ）を受信し、既に決定した要求電力を調節することができる（Ｓ５４０）。例えば、ＲＲＨに接続された他のＢＢＵとの関係によって既決定の要求電力を完全に割り当てることができない場合、ＲＲＨとの接続を追加しようとするＢＢＵは、要求電力を低く調節することができる。又は、ＲＲＨがＢＢＵの要求した要求電力よりも大きい電力をＢＢＵにさらに割り当てることができる場合、ＢＢＵは要求電力を高く調節することもできる。又は、ＲＲＨに接続されるＢＢＵが要求する電力が、他のＢＢＵに割り当てられた電力に影響を及ぼさない場合、ＢＢＵは、要求電力を調節しないでそのまま維持することができる。
【００６９】
次いで、ＢＢＵは、調節された要求電力を要請するＤＬ電力割り当て変更命令メッセージ（ＤＬ  ｐｏｗｅｒ  ａｌｌｏｃａｔｉｏｎ  ｃｈａｎｇｅ  ｃｏｍｍａｎｄ  ｍｅｓｓａｇｅ）を送信する（Ｓ５５０）。ＢＢＵは、ＤＬ電力割り当て変更命令メッセージを、先にＤＬ電力割り当て変更要求メッセージを送信した対象に送信することができる。ＤＬ電力割り当て変更命令メッセージを受信したＲＲＨ、他のＢＢＵ、サーバー／エンティティ／Ａ−ＧＷなどは、メッセージに含まれた情報に基づいてＲＲＨに対するＤＬ電力を調節して設定することができる。
【００７０】
次に、ＢＢＵは、調節されたＤＬ電力を用いてＲＲＨを介してＤＬ通信を行う（Ｓ５６０）。
【００７１】
図６は、本発明の他の実施例に係る電力割り当て方法を説明する図である。図６に示す実施例で、ＢＢＵ  ＃１（３１０）がＲＲＨ  ＃０（２１０）に接続しながら決定する要求電力は、ＲＲＨ  ＃０（２１０）に接続された他のＢＢＵに影響を与えない。例えば、ＢＢＵ  ＃１（３１０）の要求電力がＲＲＨ  ＃０（２１０）の電力ヘッドルームよりも低い場合である。
【００７２】
ＲＲＨ  ＃０（２１０）に接続しようとするＢＢＵ  ＃１（３１０）は、割り当ててもらいたい電力である要求電力を決定する（Ｓ６１０）。上述したように、要求電力は、Ａ−ＧＷ（２５０）から受信したＲＲＨ  ＃０（２１０）に関する情報を考慮して決定することができ、特定値又は一定範囲の値であってもよい。
【００７３】
ＢＢＵ  ＃１（３１０）は、決定した要求電力に関する情報を含むＤＬ電力割り当て変更要求メッセージ（ＤＬ  ｐｏｗｅｒ  ａｌｌｏｃａｔｉｏｎ  ｃｈａｎｇｅ  ｒｅｑｕｅｓｔ  ｍｅｓｓａｇｅ）を、Ａ−ＧＷ（２５０）を介してＲＲＨ  ＃０（２１０）に送信する（Ｓ６２０）。ＤＬ電力割り当て変更要求メッセージは、“メッセージタイプを示すフィールド、ＢＢＵ  ＩＤ（ｓｏｕｒｃｅ）に対するフィールド、ＲＲＨ  ＩＤ（ｄｅｓｔｉｎａｔｉｏｎ）に対するフィールド、Ａ−ＧＷ  ＩＰに対するフィールド、他のＢＢＵの電力を調節するか否かの指示子に対するフィールド、｛ＢＢＵが使用しようとするキャリアの周波数、ＢＢＵが要求するキャリアの電力値（又は範囲）、ＢＢＵのキャリア電力変更指示子｝又は｛ＢＢＵが使用しようとするキャリアの周波数、ＢＢＵのキャリア電力変更指示子、Ｃａｕｓｅ｝に対するフィールド”のうち少なくとも一つを含めて構成することができる。
【００７４】
ＤＬ電力割り当て変更要求メッセージを受信したＲＲＨ  ＃０（２１０）は、ＢＢＵ  ＃１（３１０）がＲＲＨ  ＃０（２１０）に接続しようとすること、ＢＢＵ  ＃１（３１０）の要求電力、ＲＲＨ  ＃０（２１０）に接続された他のＢＢＵの電力調節が要求されるか否かなどがわかる。例えば、他のＢＢＵの電力を調節するか否かの指示子が‘１’である場合は、ＲＲＨ  ＃０（２１０）に他のＢＢＵの電力調節が要求されたことを意味し、‘０’である場合は、他のＢＢＵの電力調節が必要でないことを意味することができる。他の例として、ＲＲＨ  ＃０（２１０）は、ＢＢＵのキャリア電力変更指示子が‘１０’という２ビットである場合、ＢＢＵが送信するキャリア当たりの電力を増加させることを要求することを意味し、‘０１’である場合は、減少させることを要求することを意味し、‘００’である場合は、キャリア当たりの電力を維持することを要求することを意味することが分かる。
【００７５】
ＲＲＨ  ＃０（２１０）は、ＢＢＵ  ＃１（３１０）の要求を考慮してＤＬ電力割り当て変更応答メッセージ（ＤＬ  ｐｏｗｅｒ  ａｌｌｏｃａｔｉｏｎ  ｃｈａｎｇｅ  ｒｅｓｐｏｎｓｅ  ｍｅｓｓａｇｅ）をＡ−ＧＷ（２５０）を介してＢＢＵ  ＃１（３１０）に送信する（Ｓ６３０）。ＤＬ電力割り当て変更応答メッセージには、ＢＢＵ  ＃１（３１０）の要求電力がＲＲＨ  ＃０（２１０）の電力ヘッドルームを超えるか否かを示す指示子を含めてもよく、ＲＲＨ  ＃０（２１０）の電力ヘッドルームに関する情報を含めてもよい。例えば、ＤＬ電力割り当て変更応答メッセージは、“メッセージタイプを示すフィールド、ＲＲＨ  ＩＤ（ｓｏｕｒｃｅ）に対するフィールド、ＢＢＵ  ＩＤ（ｄｅｓｔｉｎａｔｉｏｎ）に対するフィールド、電力ヘッドルームを超えるか否かを示す指示子に対するフィールド、ＲＲＨの電力ヘッドルームに対するフィールド、Ａ−ＧＷ  ＩＰに対するフィールド”のうち少なくとも一つを含めて構成することができる。
【００７６】
例えば、電力ヘッドルームを越えるか否かを示す指示子が‘１’である場合は、ＢＢＵ  ＃１（３１０）の要求電力がＲＲＨ  ＃０（２１０）の電力ヘッドルームを超えることを示し、‘０’である場合は、超えないことを示すことができる。
【００７７】
ＲＲＨ  ＃０（２１０）からＤＬ電力割り当て変更応答メッセージを受信したＢＢＵ  ＃１（３１０）は、自分の要求電力がＲＲＨ  ＃０（２１０）の電力ヘッドルームを超えるかが分かる。超えない場合、ＢＢＵ  ＃１（３１０）は、自分の要求した要求電力をキャリアに対する電力として設定することができる。逆に、超える場合には、ＢＢＵ  ＃１（３１０）は、要求電力を下げてキャリアに対する電力として設定してもよい。
【００７８】
その後、ＢＢＵ  ＃１（３１０）は、ＤＬ電力が設定されたことを知らせるＤＬ電力割り当て変更応答確認メッセージ（ＤＬ  ｐｏｗｅｒ  ａｌｌｏｃａｔｉｏｎ  ｃｈａｎｇｅ  ｒｅｓｐｏｎｓｅ  Ａｃｋ  ｍｅｓｓａｇｅ）を、ＲＲＨ  ＃０（２１０）に送信する（Ｓ６４０）。ＤＬ電力割り当て変更応答確認メッセージは、Ａ−ＧＷ（２５０）を介して送信することができる。一方、ＢＢＵ  ＃１（３１０）とＲＲＨ  ＃０（２１０）は、既に設定された時間区間のタイマーを設定し、上述した応答メッセージ及び／又は確認メッセージが送信されない場合には自分のメッセージを再送信してもよい。
【００７９】
一方、前述したようにＢＢＵ  ＃１（３１０）が要求電力を下げて設定する場合、確認メッセージを送信する代わりに、ＤＬ電力割り当て変更要求メッセージを新しく構成して再送信することもできる。
【００８０】
図７及び図８は、本発明の他の実施例に係る電力割り当て方法を説明する図である。図７及び図８に示す実施例で、ＢＢＵ  ＃２（３３０）がＲＲＨ  ＃０（２１０）に接続しながら決定する要求電力は、ＲＲＨ  ＃０（２１０）に接続された他のＢＢＵであるＢＢＵ  ＃０（３１０）及びＢＢＵ  ＃１（３２０）に影響を及ぼす。例えば、ＢＢＵ  ＃２（３３０）の要求電力がＲＲＨ  ＃０（２１０）の電力ヘッドルームよりも高い場合であってもよい。一方、図７では、各ＢＢＵのためのＤＬ電力を任意のＢＢＵ（ＢＢＵ  ＃２（３３０））が決定する実施例を説明する。
【００８１】
図７に示す実施例で、ＢＢＵ  ＃２（３３０）は、ＲＲＨ  ＃０（２１０）の容量に関する情報に基づいて要求電力を決定する（Ｓ７１０）。一方、ＢＢＵ  ＃２（３３０）はＡ−ＧＷなどを介してＲＲＨ  ＃０（２１０）の容量（ｃａｐａｃｉｔｙ）及びヘッドルームに関する情報を収集することができ、さらに、ＲＲＨ  ＃０（２１０）に接続しているＢＢＵ  ＃０（３１０）及びＢＢＵ  ＃１（３２０）に関する情報もあらかじめ把握することができる。ＢＢＵ  ＃２（３３０）は、ＲＲＨ  ＃０（２１０）の電力ヘッドルーム及び他のＢＢＵに関する情報を考慮して要求電力を決定することができる。
【００８２】
次いで、ＢＢＵ  ＃２（３３０）は、自分が使用しようとするキャリアのキャリア当たりの電力（要求電力）に関する情報をＤＬ電力割り当て変更要求メッセージ（ＤＬ  ｐｏｗｅｒ  ａｌｌｏｃａｔｉｏｎ  ｃｈａｎｇｅ  ｒｅｑｕｅｓｔ  ｍｅｓｓａｇｅ）に含めてＢＢＵ  ＃０（３１０）、ＢＢＵ  ＃１（３２０）に送信する（Ｓ７１５，Ｓ７２０）。ＤＬ電力割り当て変更要求メッセージは、“メッセージタイプを示すフィールド、ＢＢＵ  ＩＤ（ｓｏｕｒｃｅ）に対するフィールド、ＢＢＵ  ＩＤ（ｄｅｓｔｉｎａｔｉｏｎ）に対するフィールド、ＲＲＨ  ＩＤに対するフィールド、｛ＢＢＵ  ＃２（３３０）が使用しようとするキャリアの周波数、ＢＢＵが要求するキャリアの電力値（又は範囲）、ＢＢＵのキャリア電力変更指示子｝又は｛ＢＢＵが使用しようとするキャリアの周波数、ＢＢＵのキャリア電力変更指示子、Ｃａｕｓｅ｝に対するフィールド”のうち少なくとも一つを含めて構成することができる。また、これはＢＢＵ間のＸ２インターフェース又はＸ２と類似の（Ｘ２  ｌｉｋｅ）インターフェースを介して送信することができる。
【００８３】
ＤＬ電力割り当て変更要求メッセージを受信したＢＢＵ  ＃０（３１０）及びＢＢＵ  ＃１（３２０）は、自分のキャリア当たりのＤＬ電力を調節するか否かを決定する。すなわち、ＢＢＵ  ＃０（３１０）及びＢＢＵ  ＃１（３２０）はそれぞれ、自分がデータを送信しながら使用するキャリアの周波数及びキャリア当たりの電力値と、ＢＢＵ  ＃２（３３０）から要求されたキャリアの周波数及びキャリア当たりの電力値とを比較することができる。ＢＢＵ  ＃０（３１０）、ＢＢＵ  ＃１（３２０）は比較の結果によって、自分がＢＢＵ  ＃２（３３０）のために調節可能なキャリア当たりの電力値を決定することができる。
【００８４】
次に、ＢＢＵ  ＃０（３１０）及びＢＢＵ  ＃１（３２０）は、キャリア当たりの電力を調節するか否か及び調節すると決定した電力値などを、ＤＬ電力割り当て変更応答メッセージ（ＤＬ  ｐｏｗｅｒ  ａｌｌｏｃａｔｉｏｎ  ｃｈａｎｇｅ  ｒｅｓｐｏｎｓｅ  ｍｅｓｓａｇｅ）でＢＢＵ  ＃２（３３０）に送信する（Ｓ７２５、Ｓ７３０）。ＤＬ電力割り当て変更応答メッセージは、“メッセージタイプを示すフィールド、ＢＢＵ  ＩＤ（ｓｏｕｒｃｅ）に対するフィールド、ＢＢＵ  ＩＤ（ｄｅｓｔｉｎａｔｉｏｎ）に対するフィールド、ＲＲＨ  ＩＤに対するフィールド、｛ＢＢＵ  ＃０（３１０）／＃１（３２０）のキャリア周波数、ＢＢＵ  ＃０（３１０）／＃１（３２０）が調節可能なキャリア当たりの電力値、電力値を調節するか否かを示す指示子｝又は｛ＢＢＵ  ＃０（３１０）／＃１（３２０）のキャリア周波数、電力値を調節するか否かを示す指示子、Ｃａｕｓｅ｝に対するフィールド”のうち少なくとも一つを含めて構成することができ、Ｘ２インターフェースを介して送信することができる。
【００８５】
ＢＢＵ  ＃２（３３０）はＤＬ電力割り当て変更応答メッセージを受信した後、ＢＢＵ  ＃０（３１０）及びＢＢＵ  ＃１（３２０）が電力を調節するか否か及び調節可能な値を考慮して、ＢＢＵ  ＃０（３１０）及びＢＢＵ  ＃１（３２０）のそれぞれのキャリア当たりの電力値の増加／維持／減少を決定することができる。又は、各ＢＢＵのキャリア当たりの電力値そのものを特定して決定してもよい。また、ＢＢＵ  ＃２（３３０）は、自分の要求電力を再び決定してもよい（Ｓ７３５）。
【００８６】
その後、ＢＢＵ  ＃２（３３０）は、新しく調節された要求電力に関する情報をＤＬ電力割り当て変更命令メッセージ（ＤＬ  ｐｏｗｅｒ  ａｌｌｏｃａｔｉｏｎ  ｃｈａｎｇｅ  ｃｏｍｍａｎｄ  ｍｅｓｓａｇｅ）に含めてＢＢＵ  ＃０（３１０）、ＢＢＵ  ＃１（３２０）に送信する（Ｓ７４０、Ｓ７４５）。ＤＬ電力割り当て変更命令メッセージは、“メッセージタイプを示すフィールド、ＢＢＵ  ＩＤ（ｓｏｕｒｃｅ）に対するフィールド、ＢＢＵ  ＩＤ（ｄｅｓｔｉｎａｔｉｏｎ）に対するフィールド、ＲＲＨ  ＩＤに対するフィールド、｛ＢＢＵ  ＃０／＃１のキャリア周波数、ＢＢＵ  ＃２が調節可能なキャリアの電力値、ＢＢＵ  ＃０／＃１のキャリア電力変更指示子｝又は｛ＢＢＵ  ＃０／＃１のキャリア周波数、ＢＢＵ  ＃０／＃１のキャリア電力変更指示子、Ｃａｕｓｅ｝に対するフィールド”のうち少なくとも一つを含めて構成することができる。
【００８７】
ＤＬ電力割り当て変更命令メッセージを受信したＢＢＵ  ＃０（３１０）及びＢＢＵ  ＃１（３２０）は、それぞれのキャリアに対するＤＬ送信電力を変更する。ＤＬ送信電力を変更したＢＢＵ  ＃０（３１０）及びＢＢＵ  ＃１（３２０）は、変更された電力に関する情報をＲＲＨ  ＃０（２１０）に送信することができる（Ｓ７５０ａ、Ｓ７５０ｂ）。
【００８８】
一方、ＢＢＵが特定キャリアの参照信号電力（ｒｅｆｅｒｅｎｃｅ  ｓｉｇｎａｌ  ｐｏｗｅｒ）及びＰＢ値を変更してキャリアのＤＬ電力割り当てを変更する場合、システム情報（ｓｙｓｔｅｍ  ｉｎｆｏｒｍａｔｉｏｎ）が変更される。このため、ＤＬ送信電力を変更したＢＢＵは、ページングメッセージ（ｐａｇｉｎｇ  ｍｅｓｓａｇｅ）に含まれた“ＳｙｓｔｅｍＩｎｆｏＭｏｄｉｆｉｃａｔｉｏｎ”を用いて、ＤＬ電力割り当てが変更されたことを端末に知らせることができる。又は、端末特定的パラメータであるＰＡの値が変更された場合、ＢＢＵはＲＲＣ信号を用いて端末にそれを知らせることができる。また、ＢＢＵはシステム情報ブロック（Ｓｙｓｔｅｍ  Ｉｎｆｏｒｍａｔｉｏｎ  Ｂｌｏｃｋ；ＳＩＢ）を用いて、変更された参照信号電力及びＰＢの値を知らせることもできる。
【００８９】
その後、ＤＬ電力変更を完了したＢＢＵ  ＃０（３１０）及びＢＢＵ  ＃１（３２０）はＢＢＵ  ＃２（３３０）にＤＬ電力割り当て変更命令確認メッセージ（ＤＬ  ｐｏｗｅｒ  ａｌｌｏｃａｔｉｏｎ  ｃｈａｎｇｅ  ｃｏｍｍａｎｄ  Ａｃｋ  ｍｅｓｓａｇｅ）を送信する（Ｓ７５５、Ｓ７６０）。ＤＬ電力割り当て変更命令確認メッセージは、“メッセージタイプ、ＢＢＵ  ＩＤ（ｓｏｕｒｃｅ）、ＢＢＵ  ＩＤ（ｄｅｓｔｉｎａｔｉｏｎ）、ＲＲＨ  ＩＤ”などで構成することができ、Ｘ２インターフェースを介して送信することができる。
【００９０】
ＢＢＵ  ＃２（３３０）は、ＤＬ電力割り当て変更命令確認メッセージを全てのＢＢＵから受信することから、ＢＢＵの電力調節が完了したことが分かる。続いて、ＢＢＵ  ＃２（３３０）は、自分のＤＬ送信電力を段階Ｓ７３５で新しく調節した要求電力に調節してデータを送信することができる。
【００９１】
図８は、本発明の他の実施例に係る電力割り当て方法を説明する図である。図８では、各ＢＢＵのためのＤＬ電力を、Ａ−ＧＷ／別途のＲＲＨ／エンティティ２５０などが決定する実施例を説明する。図８では、図７と重複する部分についての具体説明は省略する。
【００９２】
ＲＲＨ  ＃０（２１０）との接続を新しく追加しようとするＢＢＵ  ＃２（３３０）は、自分の要求電力を決定する（Ｓ８１０）。続いて、ＢＢＵ  ＃２（３３０）は、ＤＬ電力割り当て変更要求メッセージをＡ−ＧＷ／エンティティ／ＲＲＨ（２５０）などに送信することができる（Ｓ８１５）。ＤＬ電力割り当て変更要求メッセージを受信するＲＲＨは、ＲＲＨ  ＃０（２１０）と同じＲＲＨであってもよく、別のＲＲＨであってもよい。ＤＬ電力割り当て変更要求メッセージは、図７で説明したものと類似又は同一に構成することができる。
【００９３】
ＤＬ電力割り当て変更要求メッセージを受信したＡ−ＧＷ／エンティティ／ＲＲＨ（２５０）は、ＲＲＨ  ＃０（２１０）に接続されたＢＢＵ  ＃０（３１０）、ＢＢＵ  ＃１（３２０）にそれを伝達する（Ｓ８２０、Ｓ８２５）。続いて、Ａ−ＧＷ／エンティティ／ＲＲＨ（２５０）は、ＢＢＵ  ＃０（３１０）、ＢＢＵ  ＃１（３２０）から、使用中のキャリアの周波数、キャリア当たりの電力値を調節するか否か、調節された電力値などに関する情報を含むＤＬ電力割り当て変更応答メッセージを受信する（Ｓ８３０、Ｓ８３５）。
【００９４】
Ａ−ＧＷ／エンティティ／ＲＲＨ（２５０）は、受信した情報に基づいて、ＢＢＵ  ＃０（３１０）、ＢＢＵ  ＃１（３２０）、ＢＢＵ  ＃２（３３０）のキャリア当たりの電力値を決定する（Ｓ８４０）。Ａ−ＧＷ／エンティティ／ＲＲＨ（２５０）は、ＢＢＵ  ＃０（３１０）、ＢＢＵ  ＃１（３２０）のキャリア当たりの電力を増加／減少／維持させることができ、ＢＢＵ  ＃２（３３０）の要求電力も調節することができる。
【００９５】
Ａ−ＧＷ／エンティティ／ＲＲＨ（２５０）は、調節された電力値に関する情報を含むＤＬ電力割り当て変更命令メッセージを、ＢＢＵ  ＃０（３１０）、ＢＢＵ  ＃１（３２０）に送信する（Ｓ８４５、Ｓ８５０）。ＤＬ電力割り当て変更命令メッセージは、ＲＲＨ  ＃０（２１０）に接続したＢＢＵのうち、電力を調節すると決定されたＢＢＵにのみ送信されてもよい。
【００９６】
ＤＬ電力割り当て変更命令メッセージを受信したＢＢＵ  ＃０（３１０）、ＢＢＵ  ＃１（３２０）は、受信したメッセージに基づいてキャリア当たりの電力を変更する。変更された電力に関する情報は、ＲＲＨ  ＃０（２１０）に送信することができ、ＢＢＵが端末及びＲＲＨ  ＃０（２１０）に変更された電力値に関する情報を送信する手順は、図７で説明した手順を適用してもよい（Ｓ８５５ａ、Ｓ８５５ｂ）。
【００９７】
電力調節が完了すると、ＢＢＵ  ＃０（３１０）、ＢＢＵ  ＃１（３２０）はＡ−ＧＷ／エンティティ／ＲＲＨ（２５０）にＤＬ電力割り当て変更命令確認メッセージを送信する（Ｓ８６０、Ｓ８６５）。Ａ−ＧＷ／エンティティ／ＲＲＨ（２５０）は、確認メッセージからＢＢＵの電力調節が完了したことが分かり、ＢＢＵ  ＃２（３３０）にＤＬ電力割り当て変更完了メッセージ（ＤＬ  ｐｏｗｅｒ  ａｌｌｏｃａｔｉｏｎ  ｃｈａｎｇｅ  ｃｏｍｐｌｅｔｅ  ｍｅｓｓａｇｅ）を送信する（Ｓ８７０）。ＤＬ電力割り当て変更完了メッセージは、ＤＬ電力割り当て変更命令確認メッセージを伝達する方式で伝達することができる。又は、ＤＬ電力割り当て変更完了メッセージは、Ａ−ＧＷ／エンティティ／ＲＲＨ（２５０）がＢＢＵ  ＃２（３３０）にＤＬ電力割り当て変更命令メッセージを送信してＤＬ電力を割り当てる方式で伝達することもできる。
【００９８】
ＢＢＵ  ＃２（３３０）は、受信したＤＬ電力割り当て変更完了メッセージに基づいてＤＬ送信電力を決定し、ＲＲＨ  ＃０（２１０）を介してデータを送信することができる。
【００９９】
以上の図５乃至図８では、ＲＲＨに新しいＢＢＵが接続される手順を説明した。上述した手順は、特定のＢＢＵがＲＲＨから接続解除される場合にも類似に適用することができ、説明した様々なメッセージを同一又は類似の形態に変更して活用すればよい。
【０１００】
５．  装置構成
図９は、本発明の一実施例に係る、端末、ＲＲＨ及びＢＢＵの構成を示すブロック図である。図９では、端末１００とＲＲＨ  ２００との１：１通信環境を示しているが、複数の端末とＲＲＨとの間に通信環境を構築してもよい。
【０１０１】
図９で、端末１００は、無線周波数（ＲＦ）ユニット１１０、プロセッサ１２０、及びメモリ１３０を備えることができる。従来の基地局１５０は、送信部２１２、受信部２１４、プロセッサ３１０、及びメモリ３２０を全て備えるように具現される。一方、一実施例に係るクラウドＲＡＮ環境では、従来の基地局１５０に備えられた構成がＲＲＨ  ２００とＢＢＵ  ３００とに分離して具現される。
【０１０２】
これによって、単純なアンテナの役割を担うＲＲＨ  ２００は送信部２１２及び受信部２１４だけを含む。信号処理、階層処理などを含む通信過程のの全般は、ＢＢＵ  ３００に含まれたプロセッサ３１０及びメモリ３２０によって制御される。また、ＲＲＨ  ２００とＢＢＵ  ３００との間には１：１、１：Ｎ、Ｍ：１、Ｍ：Ｎ（Ｍ、Ｎは自然数）などの様々な接続関係が形成されてもよい。
【０１０３】
端末１００に備えられたＲＦユニット１１０は、送信部１１２及び受信部１１４を有することができる。送信部１１２及び受信部１１４は、ＲＲＨ  ２００と信号を送信及び受信するように構成される。プロセッサ１２０は、送信部１１２及び受信部１１４と機能的に接続し、送信部１１２及び受信部１１４がＲＲＨ  ２００及び他のデバイスに信号を送受信する過程を制御するように構成される。また、プロセッサ１２０は、送信する信号に対する各種処理を行って送信部１１２に送り、受信部１１４に受信された信号に対する処理を行うことができる。
【０１０４】
必要な場合、プロセッサ１２０は、交換されたメッセージに含まれた情報をメモリ１３０に保存してもよい。このような構造によって端末１００は、以上説明した本発明の様々な実施の形態の方法を実行することができる。
【０１０５】
ＲＲＨ  ２００の送信部２１２及び受信部２１４は、端末１００と信号を送信及び受信するように構成される。また、ＲＲＨ  ２００に接続されたＢＢＵ  ３００のプロセッサ３１０は、ＲＲＨ  ２００の送信部２１２及び受信部２１４と機能的に接続し、送信部２１２及び受信部２１４が他の機器と信号を送受信する過程を制御するように構成される。また、プロセッサ３１０は、送信する信号に対する各種処理を行って送信部２１２に送り、受信部２１４に受信された信号に対する処理を行うことができる。必要な場合、プロセッサ３１０は、交換されたメッセージに含まれた情報をメモリ３２０に保存してもよい。このような構造によってＲＲＨ  ２００及びＢＢＵ  ３００は、前述した様々な実施の形態の方法を実行することができる。
【０１０６】
端末１００及びＢＢＵ  ３００のプロセッサ１２０，３１０は、端末１００、ＲＲＨ  ２００及びＢＢＵ  ３００における動作を指示（例えば、制御、調整、管理など）する。各プロセッサ１２０，３１０は、プログラムコード及びデータを記憶するメモリ１３０，３２０に接続してもよい。メモリ１３０，３２０はプロセッサ１２０，３１０と接続してオペレーティングシステム、アプリケーション、及び一般ファイル（ｇｅｎｅｒａｌ  ｆｉｌｅｓ）を記憶する。
【０１０７】
一方、ＢＢＵ（３００）は、前述したように、他のＢＢＵと共に接続されて仮想ＢＢＵプールを形成する。これによって、明示的に図示してはいないが、ＢＢＵ（３００）はＲＲＨ（２００）とは別に、他のＢＢＵと接続するための送受信モジュールを備えることができる。
【０１０８】
本発明のプロセッサ１２０，３１０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶことができる。一方、プロセッサ１２０，３１０は、ハードウェア（ｈａｒｄｗａｒｅ）、ファームウェア（ｆｉｒｍｗａｒｅ）、ソフトウェア、又はこれらの結合によって具現することができる。ハードウェアを用いて本発明の実施例を実現する場合に、本発明を実行するように構成されたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）などをプロセッサ１２０，３１０に具備することができる。
【０１０９】
一方、上述した方法は、コンピュータで実行可能なプログラムとして作成可能であり、コンピュータ読み取り可能媒体を用いて上記プログラムを動作させる汎用ディジタルコンピュータによって具現することができる。また、上述した方法で用いられたデータの構造は、コンピュータ読み取り可能媒体に様々な手段を用いて記録することができる。本発明の様々な方法を実行するための実行可能なコンピュータコードを含む記憶デバイスを説明するために使用され得るプログラム記憶デバイスは、搬送波（ｃａｒｒｉｅｒ  ｗａｖｅｓ）や信号のように一時的な対象を含むものとして理解してはならない。上記コンピュータ読み取り可能媒体は、磁気記録媒体（例えば、ＲＯＭ、フロッピー（登録商標）ディスク、ハードディスクなど）、光学的記録媒体（例えば、ＣＤ−ＲＯＭ、ＤＶＤなど）のような記録媒体を含む。
【０１１０】
本願発明の実施例に関連した技術の分野において通常の知識を有する者にとって、以上記載の本質的な特性から逸脱しない範囲で様々な改変が可能であるということは明らかである。したがって、開示された方法は、限定的な観点ではなく説明的な観点で考慮されなければならない。本発明の範囲は、発明の詳細な説明ではなく特許請求の範囲に現れ、特許請求の範囲と同等範囲内における差異点はいずれも本発明の範囲に含まれるものと解釈しなければならない。
【図１】
0006503348.tif 000002
【図２】
0006503348.tif 000003
【図３】
0006503348.tif 000004
【図４】
0006503348.tif 000005
【図５】
0006503348.tif 000006
【図６】
0006503348.tif 000007
【図７】
0006503348.tif 000008
【図８】
0006503348.tif 000009
【図９】
0006503348.tif 000010